(57)【要約】【課題】  ゴルフやグランドゴルフなどのショットの正確性を向上するための、練習に用いられるボールを提供する。【解決手段】  ボールの外周に帯状の部材を環状に接合して、ショット練習用のボールとする。帯状の部材の幅方向の両端に、環状に連続した突起を設けてもよい。このボールは、クラブフェース面のボールとの接触面に垂直な方向と、ボールのクラブフェース面のボールとの接点の法線方向がほぼ一致した状態で、ボールを打たないと、意図する方向にボールが飛ばないので、正確なショットを行う技術が向上する。さらにボール内部に空洞を設けたり、帯状の部材が形成する環の中心軸が含まれる面の少なくとも一方にウエイトを設けたりすることで、その効果を向上することが可能である。【選択図】図２
2018057770.tif 000002
【特許請求の範囲】
【請求項１】
球体の外周に、帯状の部材を環状に接合してなることを特徴とする、ショット練習用ボール。
【請求項２】
前記帯状の部材の幅は、前記ボールの直径の６０〜７０％であり、前記帯状の部材が形成する環の直径は、前記ボールの直径の１００〜１０５％であることを特徴とする、請求項１に記載のショット練習用ボール。
【請求項３】
前記帯状の部材は、幅方向の両端に、前記帯状の部材が形成する環の周方向に連続して形成された突起を備えてなることを特徴とする、請求項１または請求項２に記載のショット練習用ボール。
【請求項４】
前記球体は、内部に形成されてなる空洞、前記帯状の部材が形成する環の中心軸が含まれる面の少なくとも一方に接合されてなるウエイトの、少なくとも一方を備えていることを特徴とする、請求項１ないし請求項３のいずれかに記載のショット練習用ボール。
【発明の詳細な説明】
【技術分野】
【０００１】  本発明は、ゴルフやグランドゴルフなどの、クラブやスティックでボールを打つ競技における、ショットの精度向上の練習に用いられるボールに関するものである。
【背景技術】
【０００２】  ゴルフ、グランドゴルフ、ゲートボールなどは年齢などを問わず、誰でも行える競技もしくはゲームとして普及している。その競技方法は、クラブやスティックと称される道具を用いて、ボールを目標物に向けて打つというものである。これらの打球の道具は、棒状の部材の一方の端部には把持部を備え、他方の端部にはボールに接する部分が平面に形成されている打撃部を備えた構成となっている。【０００３】  ゴルフのクラブなどは、このような構成を備えているため、野球に用いるバットのように、ボールが接する部分が曲面となっている打撃用の道具に比較して、意図した方向にボールを飛ばすのが容易と考えられるが、野球のバットの場合は、野手の守備範囲以外の場所に、ボールを落下させればよいので、多少の打ち損じ、つまり意図しない方向にボールが飛んでも、有効打となることがある。【０００４】  これに対して、ゴルフやグランドゴルフでは、ボールを到達させる目標がピンポイントに近い大きさであるため、正確なショット、つまり、ボールに衝突する際の、打撃面の角度のコントロール、言い換えれば、クラブスイング軌道の正確性を、極力向上させることが要求される。【０００５】  そして、ここに記載した競技やゲームに限らず、これらのスキルを向上するために、様々なトレーニング方法が経験的に知られ、実行されている。そして、ゴルフにおいては、例えば特許文献１に、球体の外周のそれぞれが直交する３本の線を描き、塗料及び薬品で塗り潰した練習用ゴルフボールが開示されている。【０００６】  これは、ボール表面に描いた線を、ボールを打つコースの見極めに用い、ショットの直後にクラブフェースに付いた塗料で、ボールとクラブフェースの接触状態を知るもので、ショットの正確性の判断材料とするものである。しかし、ここに開示されているボールでは、ショット毎に塗料を表面に塗る必要があり、使用方法が煩雑で、改善の余地がある。【０００７】  また、特許文献２には、表面に近い部分に高比重の金属円柱を埋設することにより、ゴルフのパッティング練習において、ボールの転がり軌道が直線だけでなく、曲線を描くようにしたボールが開示されている。しかし、ここに開示されているボールでは、ボールを目標に向けて真直ぐに打つ練習を行うには、改善の余地がある。
【先行技術文献】
【特許文献】
【０００８】
【特許文献１】  実登３００７９３５号公報
【特許文献２】  特開２０１１−１７７４７９号
【発明の概要】
【発明が解決しようとする課題】
【０００９】  この他にもゴルフなどのための練習用のボールが。多数開示されているが、これらのボールはすべて球状の物であり、クラブフェース面と球状の点の打点で、クラブのスイング軌道に関係なくボールは前進し、クラブ軌道の正確性の確認ができない。本発明は、このような問題点の解決を試みたものである。
【課題を解決するための手段】
【００１０】  本発明は、前記の課題に鑑み、ショットの際に、クラブフェース面のボールとの接点における垂線と、ボールのクラブフェース面との接点における法線が、ほぼ一致したときに、ボールが意図した方向に進むようになる構造を鋭意検討した結果、なされたものである。【００１１】  即ち、本発明は、球体の外周に帯状の部材を環状に接合してなることを特徴とする、ショット練習用ボールである。【００１２】  また、本発明は、前記帯状の部材の幅が、前記ボールの直径の６０〜７０％であり、前記帯状の部材が形成する環の直径が、前記ボールの直径の１００〜１０５％であることを特徴とする、前記のショット練習用ボールである。【００１３】  また、本発明は、前記帯状の部材が、幅方向の両端に、前記帯状の部材が形成する環の周方向に連続して形成されてなる、突起を備えていることを特徴とする、前記のショット練習用ボールである。【００１４】  また、本発明は、前記球体が、内部に形成されてなる空洞、前記帯状の部材が形成する環の中心軸が含まれる面の少なくとも一方に接合されてなるウエイトの、少なくとも一方を備えていることを特徴とする、前記のショット練習用ボールである。
【発明の効果】
【００１５】  本発明に係るショット練習用ボールは、前記のように、クラブフェース面のボールとの接触面に垂直な方向と、ボールのクラブフェース面のボールとの接点の法線方向がほぼ一致した状態で、ボールを打たないと、意図する方向にボールが飛ばないので、正確なショットを行う技術が向上する。また、球体の外周に接合する帯状部材の幅方向の両端に連続した突起を設けることで、ゴルフのパッティングの正確さを向上するためのトレーンニングに有用となる。
【図面の簡単な説明】
【００１６】
【図１】  本発明に係るショット練習用ボールを打つ際の、クラブフェースのボール表面への理想的な接触状態を模式的に示した図。
【図２】  本発明に係るショット練習用ボールの一例を示す図。
【図３】  本発明に係るショット練習用ボールの他の例を示す図。
【図４】  本発明に係るショット練習用ボールで、内部に空洞を設け、帯状部材が形成する環の中心線上にウエイトを設けた一例を示す断面図。
【発明を実施するための形態】
【００１７】  次に、図に基づいて本発明を実施するための形態について説明する。
【００１８】  図１は、本発明に係るショット練習用ボールを打つ際の、クラブフェースのボール表面への理想的な接触状態を模式的に示した図である。図１（ａ）はボール外周に帯状の部材を環状に接合した例、図１（ｂ）は帯状の部材の幅方向の両端に突起を設けた例である。図１において、１ａ、１ｂはクラブフェース面、２ａ、２ｂ、２ｃは打点である。
【００１９】  ここに示したように、図１（ａ）においては、一点鎖線で示したボールの中心を含む線、つまり、球面の法線とクラブフェース１ａが直交するように、ボールを打たないと、ボールは真直ぐに飛ばないので、正確なクラブコントロールを行えるようにするトレーニングができる。また、図２（ｂ）においては、法線とクラブフェース面１ｂが直交し、かつクラブフェース面１ｂが、同時に打点２ｂと２ｃに接するように打つ必要があり、特にパッティングの正確さを向上するトレーニングに有用である。
【００２０】  図２は、本発明に係るショット練習用ボールの一例を示す図で、図２（ａ）は正面図、図２（ｂ）は側面図である。図２において、３ａはボール本体、４ａは帯状部材である。言うまでもなく、本発明のショット練習用ボールのサイズは限定されることはないが、ゴルフボールの場合では、Ｄ１、Ｄ３が４３ｍｍ、Ｗが約２０ｍｍ、Ｄ２が約３８ｍｍであり、グランドゴルフボールの場合では、Ｄ１、Ｄ３が６０ｍｍ、Ｗが約２８ｍｍ、Ｄ２が約５３ｍｍである。また、ボール本体３ａの表面にはディンプルを設けてもよい。
【００２１】  これらを構成する材質も特に限定されることはないが、室内で用いる場合の打撃音や、床を転がる騒音を考慮すると、可能な限り柔軟な材料が望ましく、各種のゴム系の材料やウレタンフォームを代表とする、発泡高分子材料が望ましい。
【００２２】  図３は、本発明に係るショット練習用ボールの他の例を示す図で、図３（ａ）は正面図、図３（ｂ）は側面図である。図３において、３ｂはボール本体、４ｂは帯状部材、５は突起である。この例は、帯状部材の幅方向の両端に突起５が設けられ、図１（ｂ）に示したように、パッティングの正確性を向上するためのトレーニングに用いることができる。なお、図３に示したＴ及びＨは特に限定されるものではないが、Ｔが５ｍｍ、Ｈが２．５ｍｍ程度であることが望ましい。
【００２３】  図４は、本発明に係るショット練習用ボールで、内部に空洞を設け、帯状部材が形成する環の中心線上にウエイトを設けた一例を示す断面図である。図４において、３ｃはボール本体、６は帯状部材の嵌合溝、７は空洞、８ａ、８ｂはウエイトである。ここに示した空洞とウエイトは、いずれか一方のみを設けることができ、重量は５〜１０ｇであることが望ましい。このような構造を、図３に示したボールに付与すると、打点が一つとなった場合、ボールの進路が左右に蛇行したり、一方向に偏ったりする他、甚だしい場合は、横転することになり、使用者が打点状況を把握できる。なお、図２に示したボールにも適用可能であることは勿論である。
【００２４】  以上に説明したように、本発明によれば、ゴルフなどの競技やゲームにおける、ショットの正確性向上に有用な、ショット練習用ボールを提供できる。なお、本発明は、前記実施の形態に限定されるものではなく、例えば、帯状部材を接着材でボール表面に直接貼り付けるような、本発明の分野における通常の知識を有する者であれば想到し得る、各種変形、修正を含む、本発明の要旨を逸脱しない範囲の設計変更があっても、本発明に含まれることは勿論である。
【符号の説明】
【００２５】１ａ，１ｂ  ・・・  クラブフェース面      ２ａ，２ｂ，２ｃ  ・・・  打点
３ａ，３ｂ，３ｃ  ・・・  ボール本体      ４ａ，４ｂ  ・・・  帯状部材
５  ・・・  突起      ６  ・・・  帯状部材の嵌合溝
８ａ，８ｂ  ・・・  ウエイト
【図１】
2018057770.tif 000003
【図２】
2018057770.tif 000004
【図３】
2018057770.tif 000005
【図４】
2018057770.tif 000006